(57)【要約】【課題】台間機のメンテナンス性能を向上させる。【解決手段】台間機用システム１が提供される。台間機用システム１は、複数の遊技台２００，２００・・・の隣または近傍に配置される複数の台間機１００，１００・・・と、複数の台間機１００，１００・・・それぞれを複数の遊技台２００，２００・・・それぞれの隣または近傍に固定するための複数のロック機構１５０，１５０・・・を備える。台間機用システム１は、所定の操作に基づいて複数のロック機構１５０，１５０・・・を一斉に解除する。【選択図】図６
2019136233.tif 000002
【特許請求の範囲】
【請求項１】
複数の遊技台の隣または近傍に配置される複数の台間機と、
前記複数の台間機それぞれを前記複数の遊技台それぞれの隣または近傍の位置に固定するための複数のロック機構を備え、
所定の操作に基づいて前記複数のロック機構を一斉に解除する、台間機用システム。
【請求項２】
前記複数のロック機構のそれぞれは、前記複数の台間機のそれぞれの固定および解除をするための複数の電磁ロックを有する、請求項１に記載の台間機用システム。
【請求項３】
前記複数のロック機構を遠隔制御するためのコンピュータをさらに備え、
前記コンピュータは、列または島または所定のエリアに属する複数の台間機のグループ関係に基づいて、当該グループに属する前記複数の台間機のそれぞれの前記複数のロック機構を一斉に解除する、請求項１または２に記載の台間機用システム。
【請求項４】
前記複数の台間機の各々は、前記複数の台間機のそれぞれの前記複数のロック機構を一斉に解除するための命令を受け付けるための操作部を有する、請求項１から３のいずれか１項に記載の台間機用システム。
【請求項５】
前記複数の台間機の各々は、前記複数の台間機のそれぞれの前記複数のロック機構を一斉に解除するための第１の命令と、前記台間機の前記ロック機構を個別に解除するための第２の命令とを受け付けるための操作部を有する、請求項１から３のいずれか１項に記載の台間機用システム。
【発明の詳細な説明】
【技術分野】
【０００１】
本発明は、遊技台の隣または近傍に配置される玉貸機やメダル貸機などの台間機の技術に関する。
【背景技術】
【０００２】
従来から、遊技台の隣または近傍に配置される玉貸機やメダル貸機などの台間機が知られている。たとえば、特開２００７−２９５３３号公報（特許文献１）には、貸出処理機が開示されている。特許文献１によると、固定された枠体と、この枠体と着脱可能に構成された本体とからなる貸出処理機のロック機構が、一端が枠体後方に延設され他端がソレノイドに接続されたロックレバーと、施錠時にはロックレバーと係合するとともに解錠時にはロックレバーとの係合を解除した解錠姿勢で保持する保持レバーとを備えるよう構成する。
【０００３】
また、特開平９−９４３４４号公報（特許文献２）には、パチンコ設備における台間玉貸機の装着構造が開示されている。特許文献２によると、互いに並列させて設置された複数のパチンコ機台の台間に固定ガイドフレーム枠を設け、この固定ガイドフレーム枠に台間玉貸機のユニット本体を前後方向に差込み装着し、かつこれら固定ガイドフレーム枠とユニット本体との間にロック機構を設ける。ロック機構は、ユニット本体の固定ガイドフレーム枠への差込み装着時に、ユニット本体を固定ガイドフレーム枠にワンタッチで係止させる係止手段と、ユニット本体の固定ガイドフレーム枠からの取外し時に、ユニット本体を引抜き方向に移動させる解除手段とを具備してなる構成とする。
【０００４】
また、特開平８−１４１２０６号公報（特許文献３）には、台間玉貸機の着脱装置が開示されている。特許文献３によると、台間玉貸機前面のキースイッチのキーによる回動操作で取付枠にロックされた台間玉貸機のロックをワイヤーを介して解除して玉貸機を遊技台間から前面側の方向に抜き出すことができるようにした台間玉貸機の着脱装置である。
【先行技術文献】
【特許文献】
【０００５】
【特許文献１】特開２００７−２９５３３号公報
【特許文献２】特開平９−９４３４４号公報
【特許文献３】特開平８−１４１２０６号公報
【発明の概要】
【発明が解決しようとする課題】
【０００６】
台間機のメンテナンス性能を向上させることが求められている。そこで、本発明の目的は、台間機のメンテナンス性能を向上させることにある。
【課題を解決するための手段】
【０００７】
この発明のある態様に従うと、台間機用システムが提供される。台間機用システムは、複数の遊技台の隣または近傍に配置される複数の台間機と、複数の台間機それぞれを複数の遊技台それぞれの隣または近傍の位置に固定するための複数のロック機構を備える。台間機用システムは、所定の操作に基づいて複数のロック機構を一斉に解除する。
【発明の効果】
【０００８】
以上のように、本発明によれば、台間機のメンテナンス性能を向上させることができる。
【図面の簡単な説明】
【０００９】
【図１】第１の実施の形態にかかる台間玉貸機１００の正面図である。
【図２】第１の実施の形態にかかる台間玉貸機１００の側面断面図である。
【図３】第１の実施の形態にかかる台間玉貸機１００の背面図である。
【図４】第１の実施の形態にかかる台間機用システム１のイメージ図である。
【図５】第１の実施の形態にかかるタッチパネル１３０の第１の画面例のイメージ図である。
【図６】第１の実施の形態にかかるタッチパネル１３０の第２の画面例のイメージ図である。
【図７】第１の実施の形態にかかるサーバ３００の構成を示すブロック図である。
【図８】第１の実施の形態にかかる台間玉貸機データベース３２１を示すイメージ図である。
【図９】第１の実施の形態にかかる店舗内の列や島を示すイメージ図である。
【図１０】第１の実施の形態にかかるサーバ３００における情報処理を示すフローチャートである。
【図１１】第１の実施の形態にかかる台間玉貸機１００と台間玉貸機１００を固定するための枠体２０１を示す正面斜視図である。
【図１２】第１の実施の形態にかかる台間玉貸機１００と台間玉貸機１００を固定するための枠体２０１とロック機構１５０とを示す正面斜視図である。
【図１３】第１の実施の形態にかかるロック機構１５０を示す背面斜視図である。
【図１４】第１の実施の形態にかかるロック機構１５０を示す背面図である。
【図１５】第１の実施の形態にかかるロック機構１５０を示す側面図である。
【図１６】第１の実施の形態にかかるロック機構１５０の動作を示す背面図である。
【図１７】第１の実施の形態にかかるロック機構１５０の動作を示す側面図である。
【図１８】第２の実施の形態にかかるタッチパネル１３０の画面例のイメージ図である。
【図１９】第２の実施の形態にかかる台間玉貸機データベース３２１Ｂを示すイメージ図である。
【図２０】第２の実施の形態にかかるサーバ３００における情報処理を示すフローチャートである。
【発明を実施するための形態】
【００１０】
以下、図面を参照しつつ、本発明の実施の形態について説明する。以下の説明では、同一の部品には同一の符号を付してある。それらの名称および機能も同じである。したがって、それらについての詳細な説明は繰り返さない。
＜第１の実施の形態＞
＜台間玉貸機１００の構成＞
【００１１】
まず、本実施の形態にかかる台間玉貸機１００の構成について説明する。図１は、本実施の形態にかかる台間玉貸機１００の正面図である。図２は、本実施の形態にかかる台間玉貸機１００の側面断面図である。
【００１２】
図１と図２とを参照して、台間玉貸機１００は、主に、状態表示ランプ１０１と、紙幣挿入口１０２と、紙幣識別機１１５と、タッチパネル１３０と、払い出しスイッチ１０４と、貸出ノズル１０５と、メンテナンスタグタッチセンサ１０６と、カード挿入排出口１０７と、カードリーダライタユニット１１７と、計数機１０８と、玉切りユニット１１６と、制御基板１１０と、外部接続基板１６０とを有する。
【００１３】
紙幣挿入口１０２には紙幣が挿入される。紙幣識別機１１５は紙幣を識別し、識別結果を制御基板１１０のＣＰＵ（Central Processing Unit）１１１に受け渡す。ＣＰＵ１１１は、同じく制御基板１１０のメモリ１１２にデータを蓄積したりデータを読み出したりする。ＣＰＵ１１１は、メンテナンスタグタッチセンサ１０６からの信号に基づいて、メンテナスモードに移行する。カード挿入排出口１０７は、会員カードやビジターカードを受け付ける。ＣＰＵ１１１は、カードリーダライタユニット１１７を利用して会員カードやビジターカードの識別情報を読み出したり、計数機１０８からカウント結果を取得したり、貯玉や持ち玉に関する情報を外部接続基板１６０を介してサーバ３００と送受信したりする。ＣＰＵ１１１は、タッチパネル１３０に各種情報を表示させたり、各種命令を受け付けたりする。ＣＰＵ１１１は、払い出しスイッチ１０４からの信号に基づいて貸出ノズル１０５から玉を出力する。
【００１４】
なお、これらの各部は、その全てが台間玉貸機１００に搭載される必要があるわけではなく、たとえば貸出ノズル１０５は無くてもよく、遊技台２００などの他の装置から玉を出力してもよい。
【００１５】
図３は、本実施の形態にかかる台間玉貸機１００の背面図である。図３を参照して、外部接続基板１６０には、社内ＬＡＮ（Local Area Network）やＷＡＮ（Wide Area Network）を介してサーバなどの他の装置と通信するための接続コネクタ１６１が設けられる。また、外部接続基板１６０には、対応する遊技台と通信するための接続コネクタ１６３も設けられている。
＜台間機用システム１の構成＞
【００１６】
次に、本実施の形態にかかる台間機用システム１の構成について説明する。図４は、本実施の形態にかかる台間機用システム１のイメージ図である。図４を参照して、台間機用システム１は、複数の遊技台２００，２００・・・と、それらの間に設置される複数の台間玉貸機１００，１００・・・と、台間玉貸機１００，１００・・・と通信可能なサーバ３００とを含む。本実施の形態においては、複数の遊技台２００，２００・・・毎に、正面視において左側に１つの台間玉貸機１００が設置される形態について説明する。
【００１７】
そして、各々の台間玉貸機１００は遊技台２００に対してその位置が固定されている。なお、複数の台間玉貸機１００，１００・・・は、たとえば、複数の遊技台２００，２００・・・から構成される島に対して相対的に固定されていればよく、当該複数の遊技台２００，２００・・・からなる島を構成する構造体や当該構造体に支持される枠体に保持されてもよいし、各々の台間玉貸機１００が１つまたは複数の遊技台２００に直接的または間接的に固定されてもよい。なお、島を構成する構造体に限らず、各々の台間玉貸機１００が個別に構造体に保持・固定されるものであってもよいし、各々の遊技台２００が個別に構造体に保持・固定されるものであってもよい。
【００１８】
本実施の形態においては、台間玉貸機１００は、電磁ロックによって遊技台２００に対してその位置が固定されている。そして、図５に示すように、台間玉貸機１００は、店舗の管理者のＩＣタグを読み取ると、タッチパネル１３０に図５（Ａ）に示すようなメンテナンス画面を表示させる。
【００１９】
より詳細には、制御基板１１０のＣＰＵ１１１が、メンテナンスタグタッチセンサ１０６を介して管理者のＩＣタグを読み取ると、タッチパネル１３０に図５（Ａ）に示すようなメンテナンス画面を表示させる。本実施の形態においては、メンテナンス画面には、カードを回収するためのボタンや、自身の台間玉貸機１００の遊技台２００に対する固定を解除するための第１のボタン１３１や、自身の台間玉貸機１００と同じ列の複数の台間玉貸機１００の複数の遊技台２００に対する固定を解除するための第２のボタン１３２や、金庫を開放するためのボタンなどを表示する。
【００２０】
ユーザが第１のボタンにタッチすると、台間玉貸機１００は、後述するロック機構を解除する。より詳細には、本実施の形態においては、台間玉貸機１００のＣＰＵ１１１は、第１のボタンへのタッチを受け付けると、その旨をサーバ３００に送信する。サーバ３００は、対象の台間玉貸機１００のロック機構にロックを解除させる。このとき、台間玉貸機１００は、図５（Ｂ）のような画面を表示する。
【００２１】
一方、図６（Ａ）に示すように、ユーザが第２のボタンにタッチすると、図６（Ｂ）に示すように、台間玉貸機１００のＣＰＵ１１１は、台間玉貸機１００の属する列の全ての台間玉貸機１００のロックを解除してもよいか、ユーザの確認を得る。ユーザが許可すると、台間玉貸機１００は、その旨をサーバ３００に送信する。サーバ３００は、対象の台間玉貸機１００の列に属する全ての台間玉貸機１００のロック機構にロックを解除させる。このとき、台間玉貸機１００は、図６（Ｃ）のような画面を表示する。
＜台間機用システム１のサーバ３００＞
【００２２】
以下、このような機能を実現するための台間機用システム１のサーバ３００について説明する。まず、図７を参照して、本実施の形態にかかるサーバ３００は、主に、ＣＰＵ（Central Processing Unit）３１０、メモリ３２０、操作部３３０、通信インターフェイス３６０などを有する。なお、サーバ３００は、遊技台２００，２００・・・や台間玉貸機１００，１００・・・が配置される店舗内に配置されるものであってもよいし、店舗外に配置されてインターネットやキャリア網を介して遠隔から台間玉貸機１００，１００・・・と通信するものであってもよい。
【００２３】
ＣＰＵ３１０は、メモリ３２０に格納されているプログラムを実行し、メモリ３２０や他のデータベースのデータを参照することによって各種の処理を実行する。
【００２４】
メモリ３２０は、各種のＲＡＭ（Random  Access  Memory）、各種のＲＯＭ（Read-Only  Memory）などによって実現され、サーバ３００に内包されているものであってもよいし、サーバ３００の各種インターフェイスに着脱可能なものであってもよいし、サーバ３００からアクセス可能な他の装置の記録媒体であってもよい。メモリ３２０は、ＣＰＵ３１０によって実行されるプログラムや、ＣＰＵ３１０によるプログラムの実行により生成されたデータ、その他の本実施の形態にかかるサービスに利用されるデータベースなどを記憶する。
【００２５】
たとえば、メモリ３２０は、図８に示すような台間玉貸機データベース３２１を記憶する。台間玉貸機データベース３２１は、台間玉貸機１００毎に、台間玉貸機１００の識別情報と、台間玉貸機１００が配置される店舗の識別情報と、台間玉貸機１００が属する列の識別情報と、台間玉貸機１００に対応する遊技台２００の識別情報と、台間玉貸機１００に対応する遊技台２００の種類の識別情報などの対応関係を格納する。
【００２６】
なお、ここで、台間玉貸機１００，１００・・・の属する列とは、サーバ３００の管理者が列ＩＤを設定することによって自由に定義できるものである。たとえば、図９に示すように実際に遊技台２００の正面視において左右方向に並んでいる複数の台間玉貸機１００，１００を列に設定してもよいし、同じ種類の台間玉貸機１００，１００・・・を１つの列に設定したりすることもできる。
【００２７】
図７に戻って、操作部３３０は、店舗の管理者などの各種命令を受け付けて、当該命令をＣＰＵ３１０に入力する。
【００２８】
通信インターフェイス３６０は、ＣＰＵ３１０からのデータを、ＬＡＮやインターネットやキャリア網やルータなどを介して、台間玉貸機１００，１００・・・などの他の装置に送信する。逆に、通信インターフェイス３６０は、ＬＡＮやインターネットやキャリア網やルータなどを介して、台間玉貸機１００，１００・・・などの他の装置からのデータを受信してＣＰＵ３１０に受け渡す。
＜台間機用システム１のサーバ３００の情報処理＞
【００２９】
次に、サーバ３００のＣＰＵ３１０の情報処理について説明する。ＣＰＵ３１０は、通信インターフェイス３６０を介して、台間玉貸機１００からロック解除のためのデータを受け付けると、図１０に示す処理を実行する。
【００３０】
まず、ＣＰＵ３１０は、受信データから台間玉貸機１００のＩＤを読み出す（ステップＳ１０２）。ＣＰＵ３１０は、受信データから、列の解除命令を受け付けたか否かを判断する（ステップＳ１０４）。
【００３１】
ＣＰＵ３１０は、列の解除命令を受け付けた場合（ステップＳ１０４にてＹＥＳである場合）、台間玉貸機データベース３２１を参照して、台間玉貸機１００の列ＩＤを特定する（ステップＳ１０６）。ＣＰＵ３１０は、台間玉貸機データベース３２１を参照して、当該列ＩＤに対応する全ての台間玉貸機１００のＩＤを特定する（ステップＳ１０８）。ＣＰＵ３１０は、通信インターフェイス３６０を介して、列に含まれる全ての台間玉貸機１００のロック機構１５０にロック解除命令を送信する（ステップＳ１１０）。これによって、対象となっている台間玉貸機１００と同じ列に指定されている全ての台間玉貸機１００が、直接的に、または間接的に、遊技台２００の枠体２０１から取り外し可能となる。
【００３２】
なお、受信データに個別の解除命令が含まれている場合（ステップＳ１０４にてＮＯである場合）、ＣＰＵ３１０は、通信インターフェイス３６０を介して、対象となる台間玉貸機１００のロック機構１５０にロック解除命令を送信する（ステップＳ１１０）。これによって、対象となっている台間玉貸機１００のみが遊技台２００の枠体２０１から外れる。
＜ロック機構の一例＞
【００３３】
本実施の形態にかかるロック機構について説明する。なお、図１１は、本実施の形態にかかる台間玉貸機１００と台間玉貸機１００を固定するための枠体２０１を示す正面斜視図である。図１２は、本実施の形態にかかる台間玉貸機１００と台間玉貸機１００を固定するための枠体２０１とロック機構１５０とを示す正面斜視図である。図１３は、本実施の形態にかかるロック機構１５０を示す背面斜視図である。図１４は、本実施の形態にかかるロック機構１５０を示す背面図である。図１５は、本実施の形態にかかるロック機構１５０を示す側面図である。図１６は、本実施の形態にかかるロック機構１５０の動作を示す背面図である。図１７は、本実施の形態にかかるロック機構１５０の動作を示す側面図である。
【００３４】
枠体２０１は、複数の遊技台２００，２００・・・から構成される島を構成する構造体に支持される部材であって、１または複数の台間機１００，１００・・・を保持したり、１または複数の遊技台２００，２００・・・を保持したり、するものである。なお、枠体２０１は、遊技台２００の一部であってもよい。また、枠体２０１は、島や列を構成する構造体に限らず、各々の台間玉貸機１００を個別に保持・固定するものであってもよいし、各々の遊技台２００を個別に保持・固定するものであってもよい。あるいは、枠体２０１は、１つまたは複数の台間玉貸機１００と１つまたは複数の遊技台２００の組み合わせを保持・固定するものであってもよい。
【００３５】
図１１から図１５を参照して、本実施の形態にかかるロック機構１５０は、台間玉貸機１００の背面を枠体２０１に固定するための係止部材１５２Ａ、１５２Ｂを有する。係止部材１５２Ａ，１５２Ｂは、連結フレーム１５２Ｃを介して一体的に形成されている。係止部材１５２Ａ，１５２Ｂは、枠体２０１に対して上下方向に摺動可能に構成されている。係止部材１５２Ａ，１５２Ｂは、付勢部材１５３によって下方へ付勢されている。係止部材１５２Ａ，１５２Ｂは、伝達部材１５７に固設されている。
【００３６】
図１６に示すように、ソレノイド１５６の伸縮によって回動部材１５４が軸１５５を中心に回動する。回動部材１５４が伝達部材１５７を上方へ押し上げることによって、係止部材１５２Ａ，１５２Ｂは付勢部材１５３の付勢力に抗して上方へ摺動する。これによって、係止部材１５２Ａ，１５２Ｂの、台間玉貸機１００の背面に対するロックが解除される。その結果、台間玉貸機１００を枠体２０１から取り外すことができる。
【００３７】
より詳細には、図１７（Ａ）に示すように、台間玉貸機１００が枠体２０１に固定されていない状態においては、係止部材１５２Ａ，１５２Ｂが付勢部材１５３によって下方に位置している。この状態において、図１７（Ｂ）に示すように、台間玉貸機１００の背面がロック機構１５０に近づいて、台間玉貸機１００の背面の孔部１９９Ｂが係止部材１５２Ａ，１５２Ｂに到達すると、図１７（Ｃ）に示すように、係止部材１５２Ａ，１５２Ｂが台間玉貸機１００の背面の筐体に沿って、付勢部材１５３に抗して上方へ摺動する。
【００３８】
台間玉貸機１００がさらに後方へ押されると、図１７（Ｄ）に示すように、係止部材１５２Ａ，１５２Ｂが背面の筐体を乗り越える。つまり、係止部材１５２Ａ，１５２Ｂの凹部１５２Ｘに台間玉貸機１００の背面が引っ掛かって、台間玉貸機１００が枠体２０１にロックされる。この状態で、図１６に示すように、ソレノイド１５６によって係止部材１５２Ａ，１５２Ｂが上方へ持ち上げられると、図１７（Ｅ）に示すように、台間玉貸機１００の背面の筐体が、係止部材１５２Ａ，１５２Ｂのロックから解放される。
【００３９】
本実施の形態においては、サーバ３００が台間玉貸機１００のロック機構１５０を遠隔制御する。たとえば、サーバ３００のＣＰＵ３１０が通信インターフェイス３６０を介して、台間玉貸機１００または遊技台２００にロック機構１５０にロック解除の信号を送信し、台間玉貸機１００または遊技台２００がソレノイド１５６を制御する。あるいは、サーバ３００のＣＰＵ３１０は、通信インターフェイス３６０を介して、台間玉貸機１００または遊技台２００を介さずに、ロック機構１５０に直接的にロック解除の信号を送信することによってソレノイド１５６を制御してロックを解除してもよい。
＜第２の実施の形態＞
【００４０】
第１の実施の形態においては、個別的に台間玉貸機１００のロックを解除したり、列に属する台間玉貸機１００のロックを一斉に解除したりするものであった。しかしながら、図９に示すように、サーバ３００は、島に属する台間玉貸機１００のロックを一斉に解除するものであってもよい。
【００４１】
この場合は、台間玉貸機１００の制御基板１１０のＣＰＵ１１１などが、メンテナンスタグタッチセンサ１０６を介して管理者のＩＣタグを読み取ると、タッチパネル１３０に図１８（Ａ）に示すようなメンテナンス画面を表示させる。本実施の形態においては、メンテナンス画面には、カードを回収するためのボタンや、自身の台間玉貸機１００の遊技台２００に対する固定を解除するための第１のボタン１３１や、自身の台間玉貸機１００と同じ列の複数の台間玉貸機１００の複数の遊技台２００に対する固定を解除するための第２のボタン１３２や、自身の台間玉貸機１００と同じ島の複数の台間玉貸機１００の複数の遊技台２００に対する固定を解除するための第３のボタン１３３や、金庫を開放するためのボタンなどを表示する。
【００４２】
ユーザが第３のボタン１３３にタッチすると、図１８（Ｂ）に示すように、台間玉貸機１００のＣＰＵ１１１は、台間玉貸機１００が属する島の全ての台間玉貸機１００のロックを解除してもよいか、ユーザの確認を得る。ユーザが許可すると、台間玉貸機１００は、その旨をサーバ３００に送信する。サーバ３００は、対象の台間玉貸機１００の島に属する全ての台間玉貸機１００のロックを解除する。このとき、台間玉貸機１００は、図１８（Ｃ）のような画面を表示する。
【００４３】
本実施の形態においては、たとえば、メモリ３２０は、図１９に示すような台間玉貸機データベース３２１Ｂを記憶する。すなわち台間玉貸機データベース３２１Ｂは、台間玉貸機１００毎に、台間玉貸機１００の識別情報と、台間玉貸機１００が配置される店舗の識別情報と、台間玉貸機１００が属する島の識別情報と、台間玉貸機１００が属する列の識別情報と、台間玉貸機１００に対応する遊技台２００の識別情報と、台間玉貸機１００に対応する遊技台２００の種類の識別情報などの対応関係を格納する。
【００４４】
なお、ここで、台間玉貸機１００，１００・・・の島とは、サーバ３００の管理者が島ＩＤを設定することによって自由に定義できるものである。たとえば、図９に示すように実際に互いにまとまって配置される遊技台２００を島に設定してもよいし、同じ種類の台間玉貸機１００，１００・・・を１つの島に設定したりすることができる。
＜台間機用システム１のサーバ３００の情報処理＞
【００４５】
次に、サーバ３００のＣＰＵ３１０の情報処理について説明する。ＣＰＵ３１０は、通信インターフェイス３６０を介して、台間玉貸機１００からロック解除のためのデータを受け付けると、図２０に示す処理を実行する。ＣＰＵ３１０は、受信データから台間玉貸機１００のＩＤを読み出す（ステップＳ１０２）。ＣＰＵ３１０は、受信データから、列の解除命令を受け付けたか否かを判断する（ステップＳ１０４）。
【００４６】
ＣＰＵ３１０は、列の解除命令を受け付けた場合（ステップＳ１０４にてＹＥＳである場合）、台間玉貸機データベース３２１Ｂを参照して、台間玉貸機１００の列ＩＤを特定する（ステップＳ１０６）。ＣＰＵ３１０は、台間玉貸機データベース３２１Ｂを参照して、当該列ＩＤに対応する全ての台間玉貸機１００のＩＤを特定する（ステップＳ１０８）。ＣＰＵ３１０は、通信インターフェイス３６０を介して、列に含まれる全ての台間玉貸機１００のロック機構１５０にロック解除命令を送信する（ステップＳ１１０）。これによって、対象となっている台間玉貸機１００と同じ列に指定されている全ての台間玉貸機１００が遊技台２００の枠体２０１から外れる。
【００４７】
そして、受信データに列の解除命令が含まれておらず（ステップＳ１０４にてＮＯである場合）、受信データに島の解除命令が含まれている場合（ステップＳ２０４にてＹＥＳである場合）、ＣＰＵ３１０は、台間玉貸機データベース３２１Ｂを参照して、台間玉貸機１００の島ＩＤを特定する（ステップＳ２０６）。ＣＰＵ３１０は、台間玉貸機データベース３２１Ｂを参照して、当該島ＩＤに対応する全ての台間玉貸機１００のＩＤを特定する（ステップＳ２０８）。ＣＰＵ３１０は、通信インターフェイス３６０を介して、島に含まれる全ての台間玉貸機１００のロック機構１５０にロック解除命令を送信する（ステップＳ１１０）。これによって、対象となっている台間玉貸機１００と同じ島に指定されている全ての台間玉貸機１００が遊技台２００の枠体２０１から外れる。
【００４８】
なお、受信データに個別の解除命令が含まれている場合（ステップＳ２０４にてＮＯである場合）、ＣＰＵ３１０は、通信インターフェイス３６０を介して、対象となる台間玉貸機１００のロック機構１５０にロック解除命令を送信する（ステップＳ１１０）。これによって、対象となっている台間玉貸機１００のみが遊技台２００の枠体２０１から外れる。
＜第３の実施の形態＞
【００４９】
上記の実施の形態においては、台間玉貸機１００毎に電磁式ソレノイドを有するロック機構１５０が取り付けされるものであったが、このような形式には限られない。たとえば、一つの電磁式ソレノイドによって一列分または１つの島分の台間玉貸機１００のロック機構が全て解除される構成であってもよい。
【００５０】
あるいは、電磁式ソレノイドに限らず、モータなどの他の電磁的な機構によってロック機構を実現してもよい。
＜第４の実施の形態＞
【００５１】
上記の実施の形態においては、店舗の管理者などが台間玉貸機１００に対して、個別の台間玉貸機１００のロック解除や列や島の台間玉貸機１００のロック解除の命令を入力するものであった。しかしながら、たとえば、台間玉貸機１００の列毎や台間玉貸機１００の島毎に配置される操作ユニットや、サーバ３００の操作部３３０や、サーバ３００と通信可能なタブレットなどの通信端末などに上記の命令を入力できるシステムであってもよい。つまり、管理者などからの命令の入力端末は限定されない。
【００５２】
また、上記の実施の形態においては、サーバ３００が、個別の台間玉貸機１００のロック解除や列や島の台間玉貸機１００のロック解除の命令を発信するものであった。しかしながら、台間玉貸機１００の列や台間玉貸機１００の島毎に配置される操作ユニットや、その他の通信端末などがロック解除の命令を発信するシステムであってもよい。つまり、ロック機構１５０に対する制御命令の発信装置も限定されない。
【００５３】
また、上記の実施の形態においては、個別の台間玉貸機１００のロック解除命令が入力された場合であっても、サーバ３００がロック解除命令を送信するものであったが、個別の台間玉貸機１００のロック解除命令が入力された場合には台間玉貸機１００においてローカルでロック機構１５０を解除してもよい。あるいは、サーバ３００を利用せずに、いずれかの台間玉貸機１００が、上記の実施の形態にかかるサーバ３００の役割を担ってもよい。たとえば、列の一番左端や一番右端の台間玉貸機１００が、上記の実施の形態にかかるサーバ３００の役割を担ってもよい。
＜第５の実施の形態＞
【００５４】
上記の実施の形態においては、電気信号の命令に応じてロック機構１５０のロックが解除される形態であった。しかしながら、機械式のロック機構を利用してもよい。すなわち、ユーザが手動で一列分の台間玉貸機１００のロックを解除したり、ユーザが手動で１つの島分の台間玉貸機１００のロックを解除したりする形態であってもよい。
【００５５】
この場合は、たとえば、複数の台間玉貸機１００の後方の伝達部材１５７が、互いに連動するように連結される形態が考えられる。あるいは、複数の台間玉貸機１００の係止部材１５２Ａ，１５２Ｂ同士が連結部材によって上下方向に連動して摺動するように構成されることが考えられる。そして、店舗の管理者が鍵やレバーなどを用いて、上記の部材を連動して上方へ摺動させることによって、所定の複数の台間玉貸機１００のロックを一斉に解除することが可能になる。
＜第６の実施の形態＞
【００５６】
上記の実施の形態においては、台間玉貸機１００の枠体へのロック解除に関して説明を行った。しかしながら、上記の技術は、台間玉貸機１００に限らず、台間メダル貸機にも適用可能である。また、必ずしも遊技台２００，２００・・・に挟まれている必要はなく、台間玉貸機１００の片側のみに遊技台２００が配置されるものであってもよいし、台間玉貸機１００が遊技台２００の上や下に配置されるものであってもよい。
＜第７の実施の形態＞
【００５７】
上記の実施の形態の台間機用システム１の各装置の役割の一部または全部を他の装置が実行してもよい。たとえば、台間玉貸機１００や遊技台２００やサーバ３００の各々の役割の一部または全部を別の装置が担ったり、台間玉貸機１００や遊技台２００やサーバ３００の各々の役割の一部または全部を複数の装置で担ったりしてもよい。
＜まとめ＞
【００５８】
上記の実施の形態においては、台間機用システム１が提供される。台間機用システム１は、複数の遊技台２００，２００・・・の隣または近傍に配置される複数の台間機１００，１００・・・と、複数の台間機１００，１００・・・それぞれを複数の遊技台２００，２００・・・それぞれの隣または近傍の位置に固定するための複数のロック機構１５０，１５０・・・を備える。台間機用システム１は、所定の操作に基づいて複数のロック機構１５０，１５０・・・を一斉に解除する。
【００５９】
好ましくは、複数のロック機構１５０，１５０・・・のそれぞれは、複数の台間機１００，１００・・・のそれぞれの固定および解除をするための複数の電磁ロック１５０，１５０・・・を有する。
【００６０】
好ましくは、台間機用システム１は、複数のロック１５０，１５０・・・を遠隔制御するためのコンピュータ３００をさらに備える。コンピュータ３００は、列または島または所定のエリアに属する複数の台間機１００，１００・・・のグループ関係に基づいて、当該グループに属する複数の台間機１００，１００・・・のそれぞれの複数のロック機構１５０，１５０・・・を一斉に解除する。
【００６１】
好ましくは、複数の台間機１００，１００・・・の各々は、複数の台間機１００，１００・・・のそれぞれの複数のロック機構１５０，１５０・・・を一斉に解除するための命令を受け付けるための操作部１３０，１３０・・・を有する。
【００６２】
好ましくは、複数の台間機１００，１００・・・の各々は、複数の台間機１００，１００・・・のそれぞれの複数のロック機構１５０，１５０・・・を一斉に解除するための第１の命令と、台間機１００，１００・・・のロック機構１５０，１５０・・・を個別に解除するための第２の命令とを受け付けるための操作部１３０，１３０・・・を有する。
【００６３】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００６４】
１        ：台間機用システム
１００    ：台間玉貸機
１０１    ：状態表示ランプ
１０２    ：紙幣挿入口
１０４    ：払い出しスイッチ
１０５    ：貸出ノズル
１０６    ：メンテナンスタグタッチセンサ
１０７    ：カード挿入排出口
１０８    ：計数機
１１０    ：制御基板
１１１    ：ＣＰＵ
１１２    ：メモリ
１１５    ：紙幣識別機
１１６    ：玉切りユニット
１１７    ：カードリーダライタユニット
１３０    ：操作部（タッチパネル）
１３１    ：第１のボタン
１３２    ：第２のボタン
１３３    ：第３のボタン
１５０    ：ロック機構
１５２Ａ  ：係止部材
１５２Ｂ  ：係止部材
１５２Ｃ  ：連結フレーム
１５２Ｘ  ：凹部
１５３    ：付勢部材
１５４    ：回動部材
１５５    ：軸
１５６    ：ソレノイド
１５７    ：伝達部材
１６０    ：外部接続基板
１６１    ：接続コネクタ
１６３    ：接続コネクタ
１９９Ｂ  ：孔部
２００    ：遊技台
２０１    ：枠体
３００    ：サーバ
３１０    ：ＣＰＵ
３２０    ：メモリ
３２１    ：台間玉貸機データベース
３２１Ｂ  ：台間玉貸機データベース
３３０    ：操作部
３６０    ：通信インターフェイス
【図１】
2019136233.tif 000003
【図２】
2019136233.tif 000004
【図３】
2019136233.tif 000005
【図４】
2019136233.tif 000006
【図５】
2019136233.tif 000007
【図６】
2019136233.tif 000008
【図７】
2019136233.tif 000009
【図８】
2019136233.tif 000010
【図９】
2019136233.tif 000011
【図１０】
2019136233.tif 000012
【図１１】
2019136233.tif 000013
【図１２】
2019136233.tif 000014
【図１３】
2019136233.tif 000015
【図１４】
2019136233.tif 000016
【図１５】
2019136233.tif 000017
【図１６】
2019136233.tif 000018
【図１７】
2019136233.tif 000019
【図１８】
2019136233.tif 000020
【図１９】
2019136233.tif 000021
【図２０】
2019136233.tif 000022
【手続補正書】
【提出日】平成30年4月6日(2018.4.6)
【手続補正１】
【補正対象書類名】特許請求の範囲
【補正対象項目名】全文
【補正方法】変更
【補正の内容】
【特許請求の範囲】
【請求項１】
複数の遊技台の隣または近傍に配置される複数の台間機と、
前記複数の台間機それぞれを前記複数の遊技台それぞれの隣または近傍の位置に固定するための複数のロック機構を備え、
前記複数の台間機の各々は、前記複数の台間機のそれぞれの前記複数のロック機構を一斉に解除するための命令を受け付けるための操作部を有し、
前記命令に基づいて前記複数のロック機構を一斉に解除する、台間機用システム。
【請求項２】
前記複数のロック機構のそれぞれは、前記複数の台間機のそれぞれの固定および解除をするための複数の電磁ロックを有する、請求項１に記載の台間機用システム。
【請求項３】
前記複数のロック機構を遠隔制御するためのコンピュータをさらに備え、
前記コンピュータは、列または島または所定のエリアに属する複数の台間機のグループ関係に基づいて、当該グループに属する前記複数の台間機のそれぞれの前記複数のロック機構を一斉に解除する、請求項１または２に記載の台間機用システム。
【請求項４】
前記操作部は、前記複数の台間機のそれぞれの前記複数のロック機構を一斉に解除するための第１の命令と、前記台間機の前記ロック機構を個別に解除するための第２の命令とを受け付ける、請求項１から３のいずれか１項に記載の台間機用システム。